(57)【特許請求の範囲】
【請求項１】
原稿から画像を読取り、赤、緑、青に色分解した画像データを出力する画像読取手段と、
この画像読取手段から出力される赤、緑、青に色分解された画像データを入力する入力処理手段と、
この入力処理手段から出力される赤、緑、青の画像データがあらかじめ設定される特定原稿であるか否かを判定する特定原稿判定手段と、
前記入力処理手段から出力される赤、緑、青の画像データをシアン、マゼンタ、イエロウ、ブラックの画像データに変換する色変換手段と、
この色変換手段から出力されるシアン、マゼンタ、イエロウ、ブラックの画像データの画像処理を行ない、前記特定原稿判定手段で特定原稿である判定がされた場合は偽造防止用の画像処理を行なう第１の画像処理手段と、
この第１の画像処理手段から出力されるイエロウの画像データに対し特定パターンを付加する第１の特定パターン付加手段と、
この第１の特定パターン付加手段から出力される特定パターンが付加されたイエロウの画像データと、前記第１の画像処理手段から出力されるシアン、マゼンタ、イエロウ、ブラックの画像データとを外部に出力する画像出力インタフェイス手段と、
外部からシアン、マゼンタ、イエロウ、ブラックの画像データを入力するための画像入力インタフェイス手段と、
この画像入力インタフェイス手段から入力されるシアン、マゼンタ、イエロウ、ブラックの画像データ、または前記第１の画像処理手段から出力されるシアン、マゼンタ、イエロウ、ブラックの画像データのいずれか一方を選択する選択手段と、
この選択手段で選択されたシアン、マゼンタ、イエロウ、ブラックの画像データの画像処理を行ない、前記特定原稿判定手段で特定原稿である判定がされた場合は偽造防止用の画像処理を行なう第２の画像処理手段と、
この第２の画像処理手段から出力されるイエロウの画像データに対し、該画像形成装置を特定できる固有の特定パターンを付加する第２の特定パターン付加手段と、
この第２の特定パターン付加手段で特定パターンを付加された画像データと、前記第２の画像処理手段から出力されるシアン、マゼンタ、ブラックの画像データとに基づき記録媒体上に画像形成を行なう画像形成手段と、
を具備したことを特徴とする画像形成装置。
【請求項２】
前記特定原稿判定手段は、前記画像読取手段から出力される赤、緑、青の画像データをあらかじめ設定される特定原稿の赤、緑、青の画像データと照合し、両赤、緑、青の画像データの類似性により、前記画像読取手段から出力される赤、緑、青の画像データが特定原稿であるか否かを判定することを特徴とする請求項１記載の画像形成装置。
【請求項３】
原稿から画像を読取り、赤、緑、青に色分解した画像データを出力する画像読取手段と、
この画像読取手段から出力される赤、緑、青に色分解された画像データを入力する入力処理手段と、
この入力処理手段から出力される赤、緑、青の画像データがあらかじめ設定される特定原稿であるか否かを判定する特定原稿判定手段と、
前記入力処理手段から出力される赤、緑、青の画像データをシアン、マゼンタ、イエロウ、ブラックの画像データに変換する色変換手段と、
この色変換手段から出力されるシアン、マゼンタ、イエロウ、ブラックの画像データの画像処理を行ない、前記特定原稿判定手段で特定原稿である判定がされた場合は偽造防止用の画像処理を行なう第１の画像処理手段と、
外部からシアン、マゼンタ、イエロウ、ブラックの画像データを入力するための画像入力インタフェイス手段と、
この画像入力インタフェイス手段から入力されるシアン、マゼンタ、イエロウ、ブラックの画像データ、または前記第１の画像処理手段から出力されるシアン、マゼンタ、イエロウ、ブラックの画像データのいずれか一方を選択する第１の選択手段と、
この第１の選択手段で選択されたイエロウの画像データに対し該画像形成装置を特定できる固有の特定パターンを付加する特定パターン付加手段と、
この特定パターン付加手段で固有の特定パターンが付加されたイエロウの画像データと前記第１の選択手段で選択されたシアン、マゼンタ、ブラックの画像データとを、外部に出力するか画像形成するかを選択する第２の選択手段と、
この第２の選択手段で外部に出力する選択がされた際、前記特定パターン付加手段で固有の特定パターンが付加されたイエロウの画像データと前記第１の選択手段で選択されたシアン、マゼンタ、ブラックの画像データとを外部へ出力するための画像出力インタフェイス手段と、
前記第２の選択手段で画像形成する選択がされた際、前記特定パターン付加手段で固有の特定パターンが付加されたイエロウの画像データと前記第１の選択手段で選択されたシアン、マゼンタ、ブラックの画像データとを画像処理し、前記特定原稿判定手段で特定原稿である判定がされた場合は偽造防止用の画像処理を行なう第２の画像処理手段と、
この第２の画像処理手段で画像処理されたシアン、マゼンタ、イエロウ、ブラックの画像データに基づき記録媒体上に画像形成を行なう画像形成手段と、
を具備したことを特徴とする画像形成装置。
【発明の詳細な説明】
【０００１】
【発明の属する技術分野】
本発明は、たとえば、原稿上のカラー画像を読取ってその複製画像を形成するデジタル式カラー複写機などの画像形成装置に関する。
【０００２】
【従来の技術】
最近、スキャナやプリンタ、電子複写機などの画像形成装置の高画質化・カラー化において、その再現性が著しく向上し、本来再生されてはならないような紙幣や有価証券などが、簡単には本物と区別できないほど高画質で再生されてしまい、これを悪用されるという危惧が生じている。
【０００３】
これに伴い、画像が紙幣や有価証券などの特定原稿であるか否かを識別し、画像が紙幣や有価証券などの特定原稿であると判断した場合、画像の再生動作を禁止するなどの偽造防止技術が不可欠となっている。
【０００４】
また、上記の偽造防止技術を駆使しても、偽造防止の効果は完全ではなく、実際に、本来再生されてはならないような紙幣や有価証券などの特定原稿が再生されてしまうことがあり得る。
【０００５】
そこで、本来再生されてはならない紙幣や有価証券などの特定原稿が再生されたとしても、再生画像から画像形成装置を特定できるように、紙幣や有価証券などの再生されてはならない特定原稿の画像に限らず全ての再生画像に対して、肉眼では識別しにくい特定色、たとえば、イエロウの色材を用いて、画像形成装置を特定できるような機体固有の特定パターンを再生画像に付加する技術が、たとえば、特開平４−２９４６８２号公報などにより知られている。
【０００６】
一方、スキャナ部とプリンタ部が分離できるような画像形成装置や、外部機器との間で画像を入出力できるインタフェイスを持つような画像形成装置においては、この画像入出力インタフェイスを介してワークステーションなどに接続し、外部の画像形成装置で画像形成を行なう場合でも、紙幣や有価証券などの再生されてはならない特定原稿の偽造を防止する技術が、たとえば、特開平７−３３６５３３号公報などにより知られている。
【０００７】
【発明が解決しようとする課題】
従来の特定原稿の判定技術では、紙幣や有価証券などの再生されてはならない特定原稿を誤判定なく正確に判定することは困難であり、上記特開平７−３３６５３３号公報などによる技術を用いても、画像入出力インタフェイスを介して外部のワークステーションなどに接続し、偽造防止機能を持たない外部の画像形成装置を用いて、本来再生されてはならないような紙幣や有価証券などが再生されてしまうことがあり得る。
【０００８】
そこで、本発明は、原稿から読取った画像データを外部機器へ出力する場合でも特定原稿の偽造を防止することができるとともに、別の外部機器から複製画像形成のための画像データが入力される場合でも複製画像の悪用を防止することができる画像形成装置を提供することを目的とする。
【０００９】
【課題を解決するための手段】
本発明の画像形成装置は、原稿から画像を読取り、赤、緑、青に色分解した画像データを出力する画像読取手段と、この画像読取手段から出力される赤、緑、青に色分解された画像データを入力する入力処理手段と、この入力処理手段から出力される赤、緑、青の画像データがあらかじめ設定される特定原稿であるか否かを判定する特定原稿判定手段と、前記入力処理手段から出力される赤、緑、青の画像データをシアン、マゼンタ、イエロウ、ブラックの画像データに変換する色変換手段と、この色変換手段から出力されるシアン、マゼンタ、イエロウ、ブラックの画像データの画像処理を行ない、前記特定原稿判定手段で特定原稿である判定がされた場合は偽造防止用の画像処理を行なう第１の画像処理手段と、この第１の画像処理手段から出力されるイエロウの画像データに対し特定パターンを付加する第１の特定パターン付加手段と、この第１の特定パターン付加手段から出力される特定パターンが付加されたイエロウの画像データと、前記第１の画像処理手段から出力されるシアン、マゼンタ、イエロウ、ブラックの画像データとを外部に出力する画像出力インタフェイス手段と、外部からシアン、マゼンタ、イエロウ、ブラックの画像データを入力するための画像入力インタフェイス手段と、この画像入力インタフェイス手段から入力されるシアン、マゼンタ、イエロウ、ブラックの画像データ、または前記第１の画像処理手段から出力されるシアン、マゼンタ、イエロウ、ブラックの画像データのいずれか一方を選択する選択手段と、この選択手段で選択されたシアン、マゼンタ、イエロウ、ブラックの画像データの画像処理を行ない、前記特定原稿判定手段で特定原稿である判定がされた場合は偽造防止用の画像処理を行なう第２の画像処理手段と、この第２の画像処理手段から出力されるイエロウの画像データに対し、該画像形成装置を特定できる固有の特定パターンを付加する第２の特定パターン付加手段と、この第２の特定パターン付加手段で特定パターンを付加された画像データと、前記第２の画像処理手段から出力されるシアン、マゼンタ、ブラックの画像データとに基づき記録媒体上に画像形成を行なう画像形成手段とを具備している。
【００１１】
さらに、本発明の画像形成装置は、原稿から画像を読取り、赤、緑、青に色分解した画像データを出力する画像読取手段と、この画像読取手段から出力される赤、緑、青に色分解された画像データを入力する入力処理手段と、この入力処理手段から出力される赤、緑、青の画像データがあらかじめ設定される特定原稿であるか否かを判定する特定原稿判定手段と、前記入力処理手段から出力される赤、緑、青の画像データをシアン、マゼンタ、イエロウ、ブラックの画像データに変換する色変換手段と、この色変換手段から出力されるシアン、マゼンタ、イエロウ、ブラックの画像データの画像処理を行ない、前記特定原稿判定手段で特定原稿である判定がされた場合は偽造防止用の画像処理を行なう第１の画像処理手段と、外部からシアン、マゼンタ、イエロウ、ブラックの画像データを入力するための画像入力インタフェイス手段と、この画像入力インタフェイス手段から入力されるシアン、マゼンタ、イエロウ、ブラックの画像データ、または前記第１の画像処理手段から出力されるシアン、マゼンタ、イエロウ、ブラックの画像データのいずれか一方を選択する第１の選択手段と、この第１の選択手段で選択されたイエロウの画像データに対し該画像形成装置を特定できる固有の特定パターンを付加する特定パターン付加手段と、この特定パターン付加手段で固有の特定パターンが付加されたイエロウの画像データと前記第１の選択手段で選択されたシアン、マゼンタ、ブラックの画像データとを、外部に出力するか画像形成するかを選択する第２の選択手段と、この第２の選択手段で外部に出力する選択がされた際、前記特定パターン付加手段で固有の特定パターンが付加されたイエロウの画像データと前記第１の選択手段で選択されたシアン、マゼンタ、ブラックの画像データとを外部へ出力するための画像出力インタフェイス手段と、前記第２の選択手段で画像形成する選択がされた際、前記特定パターン付加手段で固有の特定パターンが付加されたイエロウの画像データと前記第１の選択手段で選択されたシアン、マゼンタ、ブラックの画像データとを画像処理し、前記特定原稿判定手段で特定原稿である判定がされた場合は偽造防止用の画像処理を行なう第２の画像処理手段と、この第２の画像処理手段で画像処理されたシアン、マゼンタ、イエロウ、ブラックの画像データに基づき記録媒体上に画像形成を行なう画像形成手段とを具備している。
【００１３】
また、画像出力インタフェイス手段よりも前段に特定パターン付加手段を設けることで、外部機器に出力する画像データに対しても常に特定パターンを付加することができ、特定パターン付加機能を持たないプリンタなどの外部機器で画像を再生（複製）する場合にも、既に画像データそのものに特定パターンが付加されているため、再生画像（複製画像）の悪用を防止することができる。
【００１４】
さらに、特定パターン付加手段を画像形成手段側の画像入力インタフェイス手段よりも後段にも設けることで、画像入力インタフェイス手段を介して外部機器から複製画像形成のための画像データが入力される場合でも、特定パターンを必ず付加することができ、再生画像（複製画像）の悪用を防止することができる。
【００１５】
【発明の実施の形態】
以下、本発明の実施の形態について図面を参照して説明する。
図１は、本発明に係る原稿上のカラー画像を読取ってその複製画像を形成するデジタル式カラー複写機などの画像形成装置の内部構成を概略的に示している。この画像形成装置は、大別して、原稿上のカラー画像を読取って入力する画像読取手段としてのカラースキャナ部１と、入力されたカラー画像の複製画像を形成する画像形成手段としてのカラープリンタ部２とから構成されている。
【００１６】
カラースキャナ部１は、その上部に原稿台カバー３を有し、閉じた状態にある原稿台カバー３に対向配設され、原稿がセットされる透明ガラスからなる原稿台４を有している。原稿台４の下方には、原稿台４上に載置された原稿を照明する露光ランプ５、露光ランプ５からの光を原稿に集光させるためのリフレクタ６、および、原稿からの反射光を図面に対して左方向に折り曲げる第１ミラー７などが配設されている。露光ランプ５、リフレクタ６、および、第１ミラー７は、第１キャリッジ８に固定されている。第１キャリッジ８は、図示しない歯付きベルトなどを介して図示しないパルスモータによって駆動されることにより、原稿台４の下面に沿って平行移動されるようになっている。
【００１７】
第１キャリッジ８に対して図中左側、すなわち、第１ミラー７により反射された光が案内される方向には、図示しない駆動機構（たとえば、歯付きベルト並びに直流モータなど）を介して原稿台４と平行に移動可能に設けられた第２キャリッジ９が配設されている。第２キャリッジ９には、第１ミラー７により案内される原稿からの反射光を図中下方に折り曲げる第２ミラー１１、および、第２ミラー１１からの反射光を図中右方向に折り曲げる第３ミラー１２が互いに直角に配置されている。第２キャリッジ９は、第１キャリッジ８に従動されるとともに、第１キャリッジ８に対して１／２の速度で原稿台４に沿って平行移動されるようになっている。
【００１８】
第２，第３ミラー１１，１２で折り返された光の光軸を含む面内には、第３ミラー１２からの反射光を所定の倍率で結像させる結像レンズ１３が配置され、結像レンズ１３を通過した光の光軸と略直交する面内には、結像レンズ１３により集束性が与えられた反射光を電気信号に変換するＣＣＤ形カラーイメージセンサ（光電変換素子）１５が配設されている。
【００１９】
しかして、露光ランプ５からの光をリフレクタ６により原稿台４上の原稿に集光させると、原稿からの反射光は、第１ミラー７、第２ミラー１１、第３ミラー１２、および、結像レンズ１３を介してカラーイメージセンサ１５に入射され、ここで入射光がＲ（レッド），Ｇ（グリーン），Ｂ（ブルー）の光の３原色に応じた電気信号に変換される。
【００２０】
カラープリンタ部２は、周知の減色混合法に基づいて、各色成分ごとに色分解された画像、すなわち、イエロウ（ｙ）、マゼンタ（ｍ）、シアン（ｃ）、およよび、ブラック（ｋ）の４色の画像をそれぞれ形成する第１〜第４の画像形成部１０ｙ，１０ｍ，１０ｃ，１０ｋを有している。
【００２１】
各画像形成部１０ｙ，１０ｍ，１０ｃ，１０ｋの下方には、各画像形成部により形成された各色ごとの画像を図中矢印ａ方向に搬送する搬送手段としての搬送ベルト２１を含む搬送機構２０が配設されている。搬送ベルト２１は、図示しないモータにより矢印ａ方向に回転される駆動ローラ９１と、駆動ローラ９１から所定距離離間された従動ローラ９２との間に巻回されて張設され、矢印ａ方向に一定速度で無端走行される。なお、各画像形成部１０ｙ，１０ｍ，１０ｃ，１０ｋは、搬送ベルト２１の搬送方向に沿って直列に配設されている。
【００２２】
各画像形成部１０ｙ，１０ｍ，１０ｃ，１０ｋは、それぞれ搬送ベルト２１と接する位置で外周面が同一の方向に回転可能に形成された像担持体としての感光体ドラム６１ｙ，６１ｍ，６１ｃ，６１ｋを含んでいる。各感光体ドラム６１ｙ，６１ｍ，６１ｃ，６１ｋは、図示しないモータにより所定の周速度で回転されるようになっている。
【００２３】
各感光体ドラム６１ｙ，６１ｍ，６１ｃ，６１ｋは、その軸線が互いに等間隔になるように配設されているとともに、その軸線は搬送ベルト２１により画像が搬送される方向と直交するよう配設されている。なお、以下の説明においては、各感光体ドラム６１ｙ，６１ｍ，６１ｃ，６１ｋの軸線方向を主走査方向（第２の方向）とし、感光体ドラム６１ｙ，６１ｍ，６１ｃ，６１ｋの回転方向、すなわち、搬送ベルト２１の回転方向（図中矢印ａ方向）を副走査方向（第１の方向）とする。
【００２４】
各感光体ドラム６１ｙ，６１ｍ，６１ｃ，６１ｋの周囲には、主走査方向に延出された帯電手段としての帯電装置６２ｙ，６２ｍ，６２ｃ，６２ｋ、除電装置６３ｙ，６３ｍ，６３ｃ，６３ｋ、主走査方向に同様に延出された現像手段としての現像ローラ６４ｙ，６４ｍ，６４ｃ，６４ｋ、下撹拌ローラ６７ｙ，６７ｍ，６７ｃ，６７ｋ、上撹拌ローラ６８ｙ，６８ｍ，６８ｃ，６８ｋ、主走査方向に同様に延出された転写手段としての転写装置９３ｙ，９３ｍ，９３ｃ，９３ｋ、主走査方向に同様に延出されたクリーニングブレード６５ｙ，６５ｍ，６５ｃ，６５ｋ、および、排トナー回収スクリュ６６ｙ，６６ｍ，６６ｃ，６６ｋが、それぞれ感光体ドラム６１ｙ，６１ｍ，６１ｃ，６１ｋの回転方向に沿って順に配置されている。
【００２５】
なお、各転写装置９３ｙ，９３ｍ，９３ｃ，９３ｋは、対応する感光体ドラム６１ｙ，６１ｍ，６１ｃ，６１ｋとの間で搬送ベルト２１を狭持する位置、すなわち、搬送ベルト２１の内側に配設されている。また、後述する露光装置５０による露光ポイントは、それぞれ帯電装置６２ｙ，６２ｍ，６２ｃ，６２ｋと現像ローラ６４ｙ，６４ｍ，６４ｃ，６４ｋとの間の感光体ドラム６１ｙ，６１ｍ，６１ｃ，６１ｋの外周面上に形成される。
【００２６】
搬送機構２０の下方には、各画像形成部１０ｙ，１０ｍ，１０ｃ，１０ｋにより形成された画像を転写する被画像形成媒体（記録媒体）としての用紙Ｐを複数枚収容した用紙カセット２２ａ，２２ｂが配置されている。
【００２７】
用紙カセット２２ａ，２２ｂの一端部であって、従動ローラ９２に近接する側には、用紙カセット２２ａ，２２ｂに収容されている用紙Ｐをその最上部から１枚ずつ取出すピックアップローラ２３ａ，２３ｂが配置されている。ピックアップローラ２３ａ，２３ｂと従動ローラ９２との間には、用紙カセット２２ａ，２２ｂから取出された用紙Ｐの先端と画像形成部１０ｙの感光体ドラム６１ｙに形成されたｙトナー像の先端とを整合させるためのレジストローラ２４が配置されている。
【００２８】
なお、他の感光体ドラム６１ｙ，６１ｍ，６１ｃに形成されたトナー像は、搬送ベルト２１上を搬送される用紙Ｐの搬送タイミングに合せて各転写位置に供給される。
【００２９】
レジストローラ２４と第１の画像形成部１０ｙとの間であって、従動ローラ９２の近傍、すなわち、実質的に搬送ベルト２１を挟んで従動ローラ９２の外周上には、レジストローラ２４を介して所定のタイミングで搬送される用紙Ｐに静電吸着力を付与するための吸着ローラ２６が配設されている。なお、吸着ローラ２６の軸線と従動ローラ９２の軸線とは、互いに平行になるように設定されている。
【００３０】
搬送ベルト２１の一端であって、駆動ローラ９１の近傍、すなわち、実質的に搬送ベルト２１を挟んで駆動ローラ９１の外周上には、搬送ベルト２１上に形成された画像の位置を検知するための位置ずれセンサ９６が配設されている。位置ずれセンサ９６は、たとえば、透過形あるいは反射形の光センサにより構成される。
【００３１】
駆動ローラ９１の外周上であって、位置ずれセンサ９６の下流側の搬送ベルト２１上には、搬送ベルト２１上に付着したトナーあるいは用紙Ｐの紙かすなどを除去するための搬送ベルトクリーニング装置９５が配置されている。
【００３２】
搬送ベルト２１を介して搬送された用紙Ｐが駆動ローラ９１から離脱されて、さらに搬送される方向には、用紙Ｐを所定温度に加熱することにより用紙Ｐに転写されたトナー像を溶融し、トナー像を用紙Ｐに定着させる定着装置８０が配設されている。定着装置８０は、ヒー卜ロ一ラ対８１、オイル塗付ローラ８２，８３、ウェブ巻取りローラ８４、ウェブローラ８５、ウェブ押付けローラ８６とから構成されている。用紙Ｐ上に形成されたトナーを用紙に定着させ、排紙ローラ対８７により排出される。
【００３３】
各感光体ドラム６１ｙ，６１ｍ，６１ｃ，６１ｋの外周面上にそれぞれ色分解された静電潜像を形成する露光装置５０は、後述する画像処理装置３６にて色分解された各色ごとの画像データ（Ｙ，Ｍ，Ｃ，Ｋ）に基づいて発光制御される半導体レーザ発振器６０を有している。半導体レーザ発振器６０の光路上には、レーザビーム光を反射、走査するポリゴンモータ５４に回転されるポリゴンミラー５１、および、ポリゴンミラー５１を介して反射されたレーザビーム光の焦点を補正して結像させるためのｆθレンズ５２，５３が順に設けられている。
【００３４】
ｆθレンズ５３と各感光体ドラム６１ｙ，６１ｍ，６１ｃ，６１ｋとの間には、ｆθレンズ５３を通過した各色ごとのレーザビーム光を各感光体ドラム６１ｙ，６１ｍ，６１ｃ，６１ｋの露光位置に向けて折り曲げる第１の折り返しミラー５５ｙ，５５ｍ，５５ｃ，５５ｋ、および、第１の折り返しミラー５５ｙ，５５ｍ，５５ｃにより折り曲げられたレーザビーム光を更に折り曲げる第２および第３の折り返しミラー５６ｙ，５６ｍ，５６ｃ、５７ｙ，５７ｍ，５７ｃが配置されている。
【００３５】
なお、黒用のレーザービーム光は、第１の折り返しミラー５５ｋにより折り返された後、他のミラーを経由せずに感光体ドラム６１ｋ上に案内されるようになっている。
【００３６】
図２は、図１に示した画像形成装置の電気的接続および制御のための信号の流れを概略的に表わすブロック図を示している。図２において、制御系は、主制御部３０内のメインＣＰＵ（セントラル・プロセッシング・ユニット）９１、カラースキャナ部１のスキャナＣＰＵ１００、および、カラープリンタ部２のプリンタＣＰＵ１１０の３つのＣＰＵで構成される。
【００３７】
メインＣＰＵ９１は、プリンタＣＰＵ１１０と共有ＲＡＭ（ランダム・アクセス・メモリ）３５を介して双方向通信を行なうものであり、メインＣＰＵ９１は動作指示をだし、プリンタＣＰＵ１１０は状態ステータスを返すようになっている。プリンタＣＰＵ１１０とスキャナＣＰＵ１００はシリアル通信を行ない、プリンタＣＰＵ１１０は動作指示をだし、スキャナＣＰＵ１００は状態ステータスを返すようになっている。
【００３８】
操作パネル４０は、液晶表示部４２、各種操作キー４３、および、これらが接続されたパネルＣＰＵ４１を有し、メインＣＰＵ９１に接続されている。
主制御部３０は、メインＣＰＵ９１、ＲＯＭ（リード・オンリ・メモリ）３２、ＲＡＭ３３、ＮＶＲＡＭ３４、共有ＲＡＭ３５、画像処理装置３６、ページメモリ制御部３７、ページメモリ３８、プリンタコントローラ３９、および、プリンタフォントＲＯＭ１２１によって構成されている。
【００３９】
メインＣＰＵ９１は、全体的な制御を司るものである。ＲＯＭ３２は、制御プログラムなどが記憶されている。ＲＡＭ３３は、一時的にデータを記憶するものである。
【００４０】
ＮＶＲＡＭ（持久ランダム・アクセス・メモリ：ｎｏｎｖｏｌａｔｉｌｅ  ＲＡＭ）３４は、バッテリ（図示しない）にバックアップされた不揮発性のメモリであり、電源を遮断しても記憶データを保持するようになっている。
【００４１】
共有ＲＡＭ３５は、メインＣＰＵ９１とプリンタＣＰＵ１１０との間で、双方向通信を行なうために用いるものである。
ページメモリ制御部３７は、ページメモリ３８に対して画像情報を記憶したり、読出したりするものである。ページメモリ３８は、複数ページ分の画像情報を記憶できる領域を有し、カラースキャナ部１からの画像情報を圧縮したデータを１ページ分ごとに記憶可能に形成されている。
【００４２】
プリンタフォントＲＯＭ１２１には、プリントデータに対応するフォントデータが記憶されている。プリンタコントローラ３９は、パーソナルコンピュータなどの外部機器１２２からのプリントデータを、そのプリントデータに付与されている解像度を示すデータに応じた解像度でプリンタフォントＲＯＭ１２１に記憶されているフォントデータを用いて画像データに展開するものである。
【００４３】
カラースキャナ部１は、全体の制御を司るスキャナＣＰＵ１００、制御プログラムなどが記憶されているＲＯＭ１０１、データ記憶用のＲＡＭ１０２、前記カラーイメージセンサ１５を駆動するＣＣＤドライバ１０３、前記第１キャリッジ８などを移動する走査モータの回転を制御する走査モータドライバ１０４、および、画像補正部１０５などによって構成されている。
【００４４】
画像補正部１０５は、カラーイメージセンサ１５から出力されるＲ，Ｇ，Ｂのアナログ信号をそれぞれデジタル信号に変換するＡ／Ｄ変換回路、カラーイメージセンサ１５のばらつき、あるいは、周囲の温度変化などに起因するカラーイメージセンサ１５からの出力信号に対するスレッショルドレベルの変動を補正するためのシェーディング補正回路、および、シェーディング補正回路からのシェーディング補正されたデジタル信号を一旦記憶するラインメモリなどから構成されている。
【００４５】
カラープリンタ部２は、全体の制御を司るプリンタＣＰＵ１１０、制御プログラムなどが記憶されているＲＯＭ１１１、データ記憶用のＲＡＭ１１２、前記半導体レーザ発振器６０を駆動するレーザドライバ１１３、前記露光装置５０のポリゴンモータ５４を駆動するポリゴンモータドライバ１１４、前記搬送機構２０による用紙Ｐの搬送を制御する搬送制御部１１５、前記帯電装置、現像ローラ、および、転写装置を用いて帯電、現像、転写を行なうプロセスを制御するプロセス制御部１１６、前記定着装置８０を制御する定着制御部１１７、および、オプションを制御するオプション制御部１１８などによって構成されている。
【００４６】
なお、画像処理装置３６、ページメモリ３８、プリンタコントローラ３９、画像補正部１０５、および、レーザドライバ１１３は、画像データバス１２０によって接続されている。
【００４７】
図３は、第１の実施の形態に係る画像処理装置３６の構成を詳細に示している。画像処理装置３６は、カラースキャナ部１から赤（Ｒ）、緑（Ｇ）、青（Ｂ）に色分解された画像データが入力される入力処理部１３１、入力処理部１３１からのＲＧＢの画像データを用いて特定原稿を判定する特定原稿判定手段としての特定原稿判定部１３２、入力処理部１３１からのＲＧＢの画像データをシアン（Ｃ）、マゼンタ（Ｍ）、イエロウ（Ｙ）、ブラック（Ｋ）の各データに変換する色変換手段としての色変換部１３３、通常は色変換部１３３から出力されるＹＭＣＫの画像データに対し拡大・縮小・下地除去・ノイズ除去・エッジ強調などの処理を行ない、特定原稿判定部１３２から出力される特定原稿判定信号が入力されることによって、上記通常の画像処理とは異なる偽造防止用の画像処理を行なう第１の画像処理手段としてのフィルタ処理部１３４、フィルタ処理部１３４から出力されるイエロウ（Ｙ）の画像データに対し特定パターンを付加する第１の特定パターン付加手段としての第１の特定パターン付加部１３５、フィルタ処理部１３４および第１の特定パターン付加部１３５から出力される画像データを、外部機器に出力するための画像出力インタフェイス手段としての画像出力インタフェイス１３６、外部機器から複製画像形成のためのＹＭＣＫの画像データを入力する画像入力インタフェイス手段としての画像入力インタフェイス１３７、フィルタ処理部１３４から出力されるＹＭＣＫの画像データ、または、画像入力インタフェイス１３７から入力されるＹＭＣＫの画像データのいずれか一方を選択する選択手段としてのセレクタ部１３８、通常はセレクタ部１３８で選択されたＹＭＣＫの画像データに対し階調補正などを行ない、特定原稿判定部１３２から出力される特定原稿判定信号が入力されることによって、上記通常の画像処理とは異なる偽造防止用の画像処理を行なう第２の画像処理手段としての階調処理部１３９、および、階調処理部１３９から出力されるイエロウ（Ｙ）の画像データに対し特定パターンを付加する第２の特定パターン付加手段としての第２の特定パターン付加部１４０によって構成されている。
【００４８】
図４は、フィルタ処理部１３４や階調処理部１３９の内部における通常の画像処理とは異なる画像処理結果を出力する第１の回路構成例を示すものである。この回路は、入力された画像データに対し前述したような通常の画像処理を行なう第１の画像処理部１５１、入力された画像データに対し通常の画像処理とは異なる処理、たとえばデータ“０”または“２５５”に置換する処理を行なう第２の画像処理部１５２、これら画像処理部１５１，１５２のいずれか一方の出力を選択するセレクタ部１５３によって構成されている。
【００４９】
すなわち、画像処理部１５１，１５２にＲＧＢの画像データが入力されるとともに、特定原稿判定部１３２から出力される特定原稿判定信号がセレクタ部１５３に入力され、特定原稿判定信号が特定原稿でない“Ｌ”の場合は、第１の画像処理部１５１で通常の画像処理が施された画像データがセレクタ部１５３で選択されて出力される。一方、特定原稿判定信号が特定原稿を示す“Ｈ”の場合、第２の画像処理部１５２で“０”または“２５５”に置換された画像データがセレクタ部１５３で選択されて出力される。
【００５０】
図５は、フィルタ処理部１３４や階調処理部１３９の内部における通常の画像処理とは異なる画像処理結果を出力する第２の回路構成例を示すものである。図５（ａ）の回路は、初期値＝０のレジスタ１５４、および、レジスタ１５４の出力と入力された画像データとの論理和をとるオア回路（ＯＲ）１５５によって構成されている。また、図５（ｂ）の回路は、初期値＝２５５のレジスタ１５６、および、レジスタ１５６の出力と入力された画像データとの論理積をとるアンド回路（ＡＮＤ）１５７によって構成されている。
【００５１】
なお、レジスタ１５４，１５６の初期値は、メインＣＰＵ９１（あるいは、スキャナＣＰＵ１００、プリンタＣＰＵ１１０）からのレジスタ設定によって設定されるようになっている。
【００５２】
図５（ａ）の回路の動作について説明すると、特定原稿判定部１３２の判定結果が特定原稿でない場合、レジスタ１５４にはメインＣＰＵ９１からデータ“０”が設定され、オア回路１５５でレジスタ１５４の出力と入力された画像データとの論理和をとることで、出力には入力された画像データそのものが出力される。一方、特定原稿判定部１３２の判定結果が特定原稿の場合には、レジスタ１５４にはメインＣＰＵ９１からデータ“２５５”が設定され、オア回路１５５でレジスタ１５４の出力と入力された画像データとの論理和をとることで、入力された画像データに関わらず出力はデータ“２５５”となる。
【００５３】
図５（ｂ）の回路の動作について説明すると、特定原稿判定部１３２の判定結果が特定原稿でない場合、レジスタ１５６にはメインＣＰＵ９１からデータ“２５５”が設定され、アンド回路１５７でレジスタ１５６の出力と入力された画像データとの論理積をとることで、出力には入力された画像データそのものが出力される。一方、特定原稿判定部１３２の判定結果が特定原稿の場合には、レジスタ１５６にはメインＣＰＵ９１からデータ“０”が設定され、アンド回路１５７でレジスタ１５６の出力と入力された画像データとの論理積をとることで、入力された画像データに関わらず出力はデータ“０”となる。
【００５４】
図６は、第１の特定パターン付加部１３５および第２の特定パターン付加部１４０の内部における特定パターン付加回路の構成例を示すものである。この回路は、主走査カウンタ１６１、副走査カウンタ１６２、第１のルックアップテーブル（ＬＵＴ１）１６３、第２のルックアップテーブル（ＬＵＴ２）１６４、アンド回路（ＡＮＤ）１６５、セレクタ部１６６、および、加算器１６７によって構成されている。
【００５５】
図６の回路の動作について説明すると、主走査カウンタ１６１は、画像クロックをカウントすることで、主走査方向に８ビットのカウントを行ない、ライン同期信号によってリセットされる。副走査カウンタ１６２は、ライン同期信号をカウントすることで、副走査方向に８ビットのカウントを行ない、ページ同期信号によってリセットされる。
【００５６】
第１のルックアップテーブル１６３には、出力再生画像（複製画像）に特定パターンを付加するか否かの１ビットのデータが格納されるもので、主走査カウンタ１６１の出力の上位４ビット（Ｄ７〜Ｄ４）が第１のルックアップテーブル１６３の下位４ビット（Ａ３〜Ａ０）のアドレスに、副走査カウンタ１６２の出力の上位４ビット（Ｄ７〜Ｄ４）が第１のルックアップテーブル１６３の上位４ビット（Ａ７〜Ａ４）のアドレスにそれぞれ入力されている。したがって、第１のルックアップテーブル１６３は、主走査方向に１６クロックごとに、副走査方向に１６ラインごとに、図７に示されるルックアップテーブルの内容を出力する。
【００５７】
第２のルックアップテーブル１６４には、出力再生画像（複製画像）に付加する特定パターンのドット構成を決める２ビットのデータが格納されるもので、主走査カウンタ１６１の出力の下位４ビット（Ｄ３〜Ｄ０）が第２のルックアップテーブル１６４の下位４ビット（Ａ３〜Ａ０）のアドレスに、副走査カウンタ１６２の出力の下位４ビット（Ｄ３〜Ｄ０）が第２のルックアップテーブル１６４の上位４ビット（Ａ７〜Ａ４）のアドレスにそれぞれ入力されている。したがって、第２のルックアップテーブル１６４は、１クロックごとに図７に示されるルックアップテーブルの内容を出力する。
【００５８】
第１のルックアップテーブル１６３の１ビットの出力を２ビットに拡張し、第２のルックアップテーブル１６４の２ビットの出力との論理積をアンド回路１６５でとり、その結果をセレクタ部１６６の制御信号として入力する。セレクタ部１６６では、入力された２ビットの制御信号が“００”のとき“０”を、“０１”のとき“Ｋ１”を、“１０”のとき“Ｋ２”を、“１１”のとき“Ｋ３”を、それぞれ８ビットの信号として選択出力し、加算器１６７でセレクタ部１６６の出力と入力された画像データとの和をとることで、画像データに対しルックアップテーブル１６３，１６４の各内容に応じた特定パターンを付加することが可能である。
【００５９】
なお、第１の特定パターン付加部１３５、および、第２の特定パターン付加部１４０に有する特定パターン付加回路は、入力される画像データが特定原稿か否かに関わらず常時動作し、該画像形成装置を特定できる特定パターンを画像データに付加する。
【００６０】
また、第１の特定パターン付加部１３５で画像データに対し付加する特定パターンと、第２の特定パターン付加部１４０で画像データに対し付加する特定パターンとは、必ずしも同一のパターンである必要はないが、該画像形成装置を特定できる装置固有のパターンである。
【００６１】
特定原稿判定部１３２では、入力されるＲＧＢの画像データをあらかじめ記憶している特定原稿の画像データと照合することにより、その類似性により特定原稿あるか否かを判定し、その判定結果をメインＣＰＵ９１（あるいは、スキャナＣＰＵ１００、プリンタＣＰＵ１１０）、フィルタ処理部１３４、および、階調処理部１３９に送る。
【００６２】
特定原稿判定部１３２の判定の結果、入力された画像データが特定原稿ではない場合、フィルタ処理部１３４および階調処理部１３９では通常の画像処理を行ない、それぞれの処理部より後段の処理部に画像データが送出される。
【００６３】
一方、特定原稿判定部１３２の判定の結果、入力された画像データが特定原稿である場合、フィルタ処理部１３４で、たとえば、フィルタ処理部１３４から後段の処理部への画像データの送出を禁止したり、カラースキャナ部１による原稿画像の読取りを禁止したり、入力された画像データとは全く異なる画像データに置換して、後段の処理部に画像データを送出するなど、通常の画像処理とは異なる画像処理を行なう。
【００６４】
なお、画像出力インタフェイス１３６を介して外部に画像データを出力しない場合は、フィルタ処理部１３４で行なう通常の画像処理とは異なる画像処理に相当する処理を階調処理部１３９で行なうようにしてもよい。
【００６５】
図９は、第２の実施の形態に係る画像処理装置３６の構成を詳細に示している。第２の実施の形態の第１の実施の形態と異なる点は、第１の実施の形態ではカラースキャナ部１側およびカラープリンタ部２側のそれぞれに特定パターン付加部を設けたが、第２の実施の形態では特定パターン付加部を１つだけ設け、カラースキャナ部１側およびカラープリンタ部２側でそれぞれ共用するようにしたものである。
【００６６】
すなわち、図９に示すように、フィルタ処理部１３４と階調処理部１３９との間にセレクタ部１４１および特定パターン付加部１４２を設け、フィルタ処理部１３４から出力されるＹＭＣＫの画像データを画像出力インタフェイス１３６を介して外部機器に出力する場合、セレクタ部１４１の入力側の切換スイッチ群１４１ａをｂ側に設定するとともに、セレクタ部１４１の出力側の切換スイッチ群１４１ｂをａ側に設定することにより、フィルタ処理部１３４から出力されるＹＭＣＫの画像データのうちイエロウ（Ｙ）の画像データは、切換スイッチ群１４１ａのｂ側を介して特定パターン付加部１４２に送られ、ここで特定パターンを付加された後、切換スイッチ群１４１ｂのａ側を介して画像出力インタフェイス１３６へ送出され、また、イエロウ（Ｙ）以外のＭＣＫの画像データは、切換スイッチ群１４１ａのｂ側および切換スイッチ群１４１ｂのａ側を介して画像出力インタフェイス１３６へ送出される。
【００６７】
一方、外部機器から画像入力インタフェイス１３７を介してＹＭＣＫの画像データを入力する場合、セレクタ部１４１の入力側の切換スイッチ群１４１ａをａ側に設定するとともに、セレクタ部１４１の出力側の切換スイッチ群１４１ｂをｂ側に設定することにより、画像入力インタフェイス１３７から入力されるＹＭＣＫの画像データのうちイエロウ（Ｙ）の画像データは、切換スイッチ群１４１ａのａ側を介して特定パターン付加部１４２に送られ、ここで特定パターンを付加された後、切換スイッチ群１４１ｂのｂ側を介して階調処理部１３９へ送出され、また、イエロウ（Ｙ）以外のＭＣＫの画像データは、切換スイッチ群１４１ａのａ側および切換スイッチ群１４１ｂのｂ側を介して階調処理部１３９へ送出される。
【００６８】
以上説明したような構成をとることでも、第１の実施の形態と同様に、画像出力インタフェイス１３６を介して画像データが外部機器に出力される場合と、画像入力インタフェイス１３７を介して画像データを外部機器から入力する場合、さらに、該画像形成装置自身で画像の再生を行なう場合の、いずれの場合にも、画像データに特定パターンを付加することができ、第１の実施の形態と同様の作用効果が得られる。
【００６９】
以上説明したように、上記実施の形態によれば、特定原稿判定部１３２をカラースキャナ部１側の画像出力インタフェイス１３６よりも前段に設けることで、該画像形成装置自身による特定原稿の偽造や悪用を防止できるとともに、画像出力インタフェイス１３６を介して外部機器に画像データを出力する場合でも、特定原稿の偽造を防止できる。
【００７０】
また、画像出力インタフェイス１３６よりも前段に第１の特定パターン付加部１３５を設けることで、外部機器に出力する画像データにも特定パターンを付加することができ、特定パターン付加機能を持たないプリンタなどで画像データを出力する場合にも、既に画像データそのものに特定パターンが付加されているため、出力物（複製画像）の悪用を防止することができる。
【００７１】
さらに、第２の特定パターン付加部１４０をカラープリンタ部２側の画像入力インタフェイス１３７よりも後段に設けることで、外部機器から画像データが入力される場合でも、画像データに特定パターンを必ず付加することができ、出力物（複製画像）の悪用を防止することができる。
【００７２】
【発明の効果】
以上詳述したように本発明によれば、原稿から読取った画像データを外部機器へ出力する場合でも特定原稿の偽造を防止することができるとともに、別の外部機器から複製画像形成のための画像データが入力される場合でも複製画像の悪用を防止することができる画像形成装置を提供できる。
【図面の簡単な説明】
【図１】本発明の実施の形態に係るデジタル式カラー複写機などの画像形成装置の内部構成を模式的に示す側面図。
【図２】図１に示した画像形成装置の電気的接続および制御のための信号の流れを概略的に示すブロック図。
【図３】第１の実施の形態に係る画像処理装置の構成を示すブロック図。
【図４】通常の画像処理とは異なる画像処理結果を出力する第１の回路構成例を示すブロック図。
【図５】通常の画像処理とは異なる画像処理結果を出力する第２の回路構成例を示すブロック図。
【図６】特定パターン付加部の内部における特定パターン付加回路の構成例を示すブロック図。
【図７】特定パターン付加回路内の第１のルックアップテーブルの内部のアドレス構成を表わす図。
【図８】特定パターン付加回路内の第２のルックアップテーブルの内部のアドレス構成を表わす図。
【図９】第２の実施の形態に係る画像処理装置の構成を示すブロック図。
【符号の説明】
１…カラースキャナ部（画像読取手段）、２……カラープリンタ部（画像形成手段）、３０……主制御部、３６……画像処理装置、９１……メインＣＰＵ、１３１……入力処理部、１３２……特定原稿判定部（特定原稿判定手段）、１３３……色変換部（色変換手段）、１３４……フィルタ処理部（第１の画像処理手段）、１３５……第１の特定パターン付加部（第１の特定パターン付加手段）、１３６……画像出力インタフェイス（画像出力インタフェイス手段）、１３７……画像入力インタフェイス（画像入力インタフェイス手段）、１３８……セレクタ部（選択手段）、１３９……階調処理部（第２の画像処理手段）、１４０……第２の特定パターン付加部（第２の特定パターン付加手段）、１４１……セレクタ部（選択手段）、１４２……特定パターン付加部（特定パターン付加手段）。
【図１】
0003773653.tif 000002
【図２】
0003773653.tif 000003
【図３】
0003773653.tif 000004
【図４】
0003773653.tif 000005
【図５】
0003773653.tif 000006
【図６】
0003773653.tif 000007
【図７】
0003773653.tif 000008
【図８】
0003773653.tif 000009
【図９】
0003773653.tif 000010